(57)【要約】  較正装置（ＣＣ）が、第１の負荷インピーダンス手段（Ｚ１）及び第２の負荷インピーダンス手段（Ｚ２）をそれぞれ備えた第１の出力及び第２の出力を有する平衡形回路装置（ＭＣ）に結合されている。この較正装置（ＣＣ）は、線形化のために前記第１の負荷インピーダンス手段（Ｚ１）及び前記第２の負荷インピーダンス手段（Ｚ２）を負荷の不平衡状態に調整するよう構成された調整手段（ＡＤＭ）と、前記負荷インピーダンス調整手段（ＡＤＭ）と前記第１及び前記第２の出力との間に挿入されていて、前記負荷インピーダンス調整手段（ＡＤＭ）を前記第１及び前記第２の出力のうち選択された一方にのみ選択的に結合して前記負荷インピーダンス調整手段（ＡＤＭ）を前記第１の負荷インピーダンス手段（Ｚ１）か前記第２の負荷インピーダンス手段（Ｚ２）か、どちらか一方に並列接続するように構成された結合手段（ＣＭ）とを有する。
2007537647.tif 000002
【特許請求の範囲】
【請求項１】
第１の負荷インピーダンス手段及び第２の負荷インピーダンス手段をそれぞれ備えた第１の出力及び第２の出力を有する平衡形回路装置用の較正装置であって、該較正装置が、線形化を目的として前記第１の負荷インピーダンス手段及び前記第２の負荷インピーダンス手段を負荷の不平衡状態に調整するよう構成された調整手段を有する較正装置において、前記較正装置は、前記負荷インピーダンス調整手段と前記第１及び前記第２の出力との間に挿入されていて、前記負荷インピーダンス調整手段を前記第１及び前記第２の出力のうち選択された一方にのみ選択的に結合して前記負荷インピーダンス調整手段を前記第１の負荷インピーダンス手段か前記第２の負荷インピーダンス手段か、どちらか一方に並列接続するように構成された結合手段を有する、較正装置。
【請求項２】
前記結合手段は、少なくとも、前記負荷インピーダンス調整手段と前記第１の出力との間に挿入された第１のスイッチング手段と、前記負荷インピーダンス調整手段と前記第２の出力との間に挿入された第２のスイッチング手段とを有し、前記第１及び前記第２のスイッチング手段は、前記負荷インピーダンス調整手段を前記第１の出力及び前記第２の出力のうちの一方にのみ同時に結合するよう構成されている、請求項１記載の較正装置。
【請求項３】
前記結合手段は、前記第１のスイッチング手段の上流側で前記第１の出力に結合された第１の端子を含む第３のスイッチング手段と、前記第２のスイッチング手段の上流側で前記第２の出力に結合された第１の端子を含む第４のスイッチング手段とを更に有し、前記第３のスイッチング手段は、前記第１のスイッチング手段が「オン」状態、「オフ」状態にあるとき、それぞれ「オフ」状態、「オン」状態にあるよう構成され、前記第４のスイッチング手段は、前記第２のスイッチング手段が「オン」状態、「オフ」状態にあるとき、それぞれ「オフ」状態、「オン」状態にあるように構成され、前記第１の出力及び前記第２の出力は各々、「オン」状態にある１つのスイッチング手段及び「オフ」状態にある１つのスイッチング手段に常時結合される、請求項２記載の較正装置。
【請求項４】
前記第３のスイッチング手段及び前記第４のスイッチング手段は、各々第２の端子を含む疑似スイッチング手段であり、前記第２の端子は、互いに結合されている、請求項３記載の較正装置。
【請求項５】
前記第１のスイッチング手段、前記第２のスイッチング手段、前記第３のスイッチング手段及び前記第４のスイッチング手段の前記状態は、同一の共通信号により制御される、請求項３又は４記載の較正装置。
【請求項６】
前記負荷インピーダンス調整手段は、補助負荷インピーダンス手段に直列接続された制御スイッチ手段を含む少なくとも１つの調整要素を有する、請求項１〜５のうちいずれか一に記載の較正装置。
【請求項７】
前記負荷インピーダンス調整手段は、互いに並列接続された少なくとも２つの調整要素を有し、前記調整要素は各々、前記第１又は前記第２の負荷インピーダンス手段を選択された負荷の不平衡状態に調整するよう共通信号により選択可能である、請求項６記載の較正装置。
【請求項８】
各前記補助負荷インピーダンス手段は、前記第１及び前記第２のスイッチング手段に結合された１つの端子を含む、請求項６又は７記載の較正装置。
【請求項９】
前記補助負荷インピーダンス手段は各々、一調整要素と別の調整要素とでは互いに異なる、請求項６〜８のうちいずれか一に記載の較正装置。
【請求項１０】
第１の負荷インピーダンス手段及び第２の負荷インピーダンス手段をそれぞれ備えた第１の出力及び第２の出力を有する平衡形回路装置であって、該平衡形回路装置は、前記第１の出力及び前記第２の出力に結合された請求項１〜９のうちいずれか一に記載の較正装置を有する、平衡形回路装置。
【請求項１１】
前記平衡形回路装置は、ミクサ回路、変調器回路及び復調器回路を含む群から選択される、請求項１０記載の平衡形回路装置。
【請求項１２】
前記平衡形回路装置は、ギルバートセル型マルチプレクサの形態に構成されたミクサ回路を構成する、請求項１１記載の平衡形回路装置。
【請求項１３】
請求項１０〜１２のうちいずれか一に記載の平衡形回路装置を少なくとも１つ有する、受信機及び／又は送信機装置。
【請求項１４】
前記受信機及び／又は送信機装置は、直接変換受信機回路を有する、請求項１３記載の受信機及び／又は送信機装置。
【請求項１５】
前記受信機及び／又は送信機装置は、低−中周波数変換受信機回路を有する、請求項１３記載の受信機及び／又は送信機装置。
【請求項１６】
請求項１０〜１２のうちいずれか一に記載の平衡形回路装置を少なくとも１つ構成する、集積回路。
【請求項１７】
前記集積回路は、請求項１０〜１２のうちいずれか一に記載の平衡形回路装置を少なくとも１つ備えた受信機及び／又は送信機回路を構成する、集積回路。
【発明の詳細な説明】
【開示の内容】
【０００１】
〔発明の分野〕
本発明は、平衡形回路装置に関し、特に、線形化の目的でかかる平衡形回路装置に結合された較正装置に関する。
【０００２】
〔発明の背景〕
無線機器の或る構成部品、例えば、無線変換受信機及び送信機の中には、平衡形回路装置、例えばミクサ又は増幅器回路を備えているものがある。
【０００３】
平衡形回路装置、とりわけ、直接変換又は低−中周波数（ＩＦ）変換受信機に用いられる平衡形回路装置は、これらのレイアウトに起因して、非対称及び不平衡状態をもたらす。当業者に知られているように、かかる非対称及び不平衡状態が存在していると、偶数次の非線形性が増大する。これら偶数次の非線形性に起因して、高い偶数次の相互変調が現れ、即ち、関心のある周波数チャンネルに近い２つの強い干渉により、低周波信号ひずみが発生する。この低周波信号ひずみが、復調された望ましい信号が存在する低周波帯に現れている状態では、かかる望ましい信号を信号ひずみ（望ましくない信号ひずみ）から分離することは困難である。
【０００４】
この高い偶数次の相互変調を阻止するためには、平衡形回路装置を高い２次入力インタセプト点（又はＩＩＰ２）の達成を可能にする専用装置に結合しなければならない。
【０００５】
かかる専用装置の一例が、とりわけ、特許文献である国際公開第ＷＯ０２／０８４８５９号パンフレットに記載されている。より詳細には、この特許文献は、平衡形回路装置の第１及び第２の出力にそれぞれ結合された第１及び第２の負荷インピーダンス手段を線形化目的で負荷不平衡状態に調整することを目的とする１つ又は２つの「ＩＩＰ２較正装置」を用いることを記載している。各（ＩＩＰ２）較正装置は、並列接続されていて、第１及び第２の負荷インピーダンス手段の適正な不平衡状態が、平衡形回路装置のバランスを取るようにチューニングされたスイッチド抵抗器を有している。
【０００６】
平衡形回路装置中に導入される不平衡状態は、僅かなので、その他の性能パラメータ、例えば、利得、ノイズ又は３次入力インタセプト点（又はＩＩＰ３）に対するこの不平衡状態の効果を無視できるようになっている。しかしながら、平衡形回路装置の非対称及び不平衡状態は、一般に非常に僅かなので、高い値のスイッチド抵抗器は、導入された不平衡状態を補償するよう互いに並列接続される必要がある。したがって、各平衡形回路装置の入力が、それ自体の（ＩＩＰ２）較正装置を備えている場合、これら２つの（ＩＩＰ２）較正装置により占められる領域は、広すぎる。そして、２つの平衡形回路装置出力のうち１つだけが（ＩＩＰ２）較正装置を備えている場合、その非対称及び不平衡状態は、適正には補償できない。より正確に言えば、これは、負荷への抵抗器の追加によりこの負荷が常時低くなるので、非対称状態を単一の仕方で補償できるに過ぎない。
【０００７】
したがって、本発明の目的は、この状況を改善することにある。
【０００８】
〔発明の概要〕
この目的のため、本発明は、平衡形回路装置の第１の出力及び第２の出力にそれぞれ設けられた第１の負荷インピーダンス手段及び第２の負荷インピーダンス手段を線形化目的に負荷の不平衡状態に調整するよう構成された（ＩＩＰ２）較正装置を提供する。
【０００９】
この（ＩＩＰ２）較正装置は、負荷インピーダンス調整手段と第１及び第２の出力との間に挿入されていて、負荷インピーダンス調整手段を第１及び第２の出力のうち選択された一方にのみ選択的に結合するよう構成された結合手段を更に有する。かくして、負荷インピーダンス調整手段を第１の負荷インピーダンス手段か第２の負荷インピーダンス手段か、どちらか一方に並列接続できる。
【００１０】
本発明の（ＩＩＰ２）較正装置は、別々に考慮され又は組み合わせ状態で考慮される追加の特徴を有するのがよく、かかる特徴としては、とりわけ、次の技術的事項が挙げられる。
【００１１】
−結合手段は、少なくとも、負荷インピーダンス調整手段と第１の出力との間に挿入された第１のスイッチング手段と、負荷インピーダンス調整手段と第２の出力との間に挿入された第２のスイッチング手段とを有するのがよく、第１及び第２のスイッチング手段は、負荷インピーダンス調整手段を第１の出力及び第２の出力のうちの一方にのみ同時に結合するよう構成されている。
−結合手段は、第１のスイッチング手段の上流側（又は下流側）で第１の出力に結合された第１の端子を含む第３のスイッチング手段と、第２のスイッチング手段の上流側（又は下流側）で第２の出力に結合された第１の端子を含む第４のスイッチング手段とを更に有するのがよく、第３のスイッチング手段は、第１のスイッチング手段が「オン」、「オフ」状態にあるとき、それぞれ「オフ」、「オン」状態にあるよう構成され、第４のスイッチング手段は、第２のスイッチング手段が「オン」、「オフ」状態にあるとき、それぞれ「オフ」、「オン」状態にあるように構成されている。かくして、第１の出力及び第２の出力は各々、「オン」状態にある１つのスイッチング手段及び「オフ」状態にある１つのスイッチング手段に常時結合される。
−第３のスイッチング手段及び第４のスイッチング手段は、各々第２の端子を含む疑似スイッチング手段であるのがよく、第２の端子は、互いに結合されている。
−第１のスイッチング手段、第２のスイッチング手段、第３のスイッチング手段及び第４のスイッチング手段の上記状態は、同一の共通信号により制御される。
−負荷インピーダンス調整手段は、補助負荷インピーダンス手段（例えば、抵抗器）に直列接続された制御スイッチ手段を含む少なくとも１つの調整要素を有するのがよい。
−負荷インピーダンス調整手段は、互いに並列接続された少なくとも２つの調整要素を有するのがよく、これら調整要素の各々は、第１又は第２の負荷インピーダンス手段を選択された負荷の不平衡状態に調整するよう共通信号により選択可能である。
−各補助負荷インピーダンス手段は、第１及び第２のスイッチング手段に結合された１つの端子を含むのがよい。
−補助負荷インピーダンス手段は各々、一調整要素と別の調整要素とでは互いに異なるのがよい。
【００１２】
本発明は又、第１の負荷インピーダンス手段及び第２の負荷インピーダンス手段をそれぞれ備えた第１の出力及び第２の出力と、第１の出力及び第２の出力に結合された（ＩＩＰ２）較正装置、例えば上述の較正装置を有する平衡形回路装置を提供する。かかる平衡形回路装置は、例えば、ミクサ回路（場合によっては、ギルバートセル（Gilbert-cell）型マルチプレクサの形態をしている）又は変調器回路若しくは復調器回路であるのがよい。
【００１３】
本発明は又、平衡形回路装置、例えば上述の平衡形回路装置を少なくとも１つ有する受信機及び／又は送信機装置を提供する。かかる受信機及び／又は送信機装置は、直接変換受信機回路又は低−中周波数変換受信機回路を有するのがよい。
【００１４】
本発明は又、平衡形回路装置、例えば上述の平衡形回路装置を少なくとも１つ構成し、又は平衡形回路装置、例えば上述の平衡形回路装置を少なくとも１つ備えた受信機及び／又は送信機回路を構成する集積回路を提供する。
【００１５】
本発明の他の特徴及び他の利点は、以下の詳細な説明及び添付の図面を吟味すると明らかになろう。
【００１６】
添付の図面は、本発明の内容を完全なものにするのに役に立つだけでなく、必要であれば、その定義に寄与することができる。
【００１７】
〔好ましい実施形態の詳細な説明〕
まず最初に、図１を参照すると、本発明を利用できる無線受信機ＲＲの一例が記載されている。
【００１８】
本発明はこの種の無線機器には限定されないことに注目することが重要である。確かに、本発明は、他形式の無線機器、例えば、送信機装置又は受信機兼用送信機装置にも利用できる。
【００１９】
以下の説明において、図示の無線受信機ＲＲは、基地局、例えばＵＭＴＳ通信ネットワークのノードＢに使用できる直接変換受信機であると見なすことにする。しかしながら、この無線受信機は、低−中周波数（ＩＦ）変換受信機であってもよい。
【００２０】
図示の無線受信機ＲＲは、主要構成要素として、無線信号を受信するようになったアンテナＡＮと、アンテナＡＮによる送信を受ける帯域フィルタＢＦと、帯域フィルタＢＦによる送信を受ける増幅器ＡＭ、例えば増幅器ＡＭにより濾波されると共に増幅された信号ＲＦｉｎが送られる第１の入力及び局部発振器ＬＯにより局所信号ＳＬＯ（この場合、ゼロ周波数で）が送られる第２の入力を備えたミクサ回路ＭＣから成る平衡形回路装置と、ミクサ回路ＭＣに結合された後で詳細に説明するＩＩＰ２較正回路（又は装置）ＣＣとを有する。
【００２１】
ミクサ回路ＭＣは、ＲＦｉｎとＳＬＯを混合して第１及び第２の出力（これらは、図１ではマージされている）で出力電圧Ｖｏｕｔ（Ｖｏｕｔ＝Ｖｏｕｔ＋−Ｖｏｕｔ−）をゼロ周波数で送り出すよう構成されている。
【００２２】
ミクサ回路ＭＣの一例が、図２に示されている。より詳細には、図示のミクサ回路ＭＣは、当業者によってギルバートセル型回路と呼ばれている。かかる回路は通常、ミクサ回路中の平衡形回路装置として用いられるが、増幅器回路及び乗算器回路にも用いられる。したがって、本発明の（ＩＩＰ２）較正回路ＣＣも又、増幅器回路及び乗算器回路に利用できる。この（ＩＩＰ２）較正回路は、例えば、変調器回路又は、さもなければ復調器回路にも利用できる。
【００２３】
ミクサ回路ＭＣは、濾波されると共に増幅された信号ＲＦｉｎが送られ、そして第１の抵抗器Ｔ１のベース端子に送信する第１の入力、局部発振器信号ＳＬＯが送られ、第２のトランジスタＴ２のベース端子ＶＬＯ＋及び第３のトランジスタＴ３のベース端子ＶＬＯ−に送信する第２の入力を有する。
【００２４】
第２のトランジスタＴ２のエミッタ端子は、第３のトランジスタＴ３のエミッタ端子及び第１のトランジスタＴ１のコレクタ端子に接続されている。第２のトランジスタＴ２のコレクタ端子は、ミクサ回路ＭＣの第１の出力ラインに接続され、この第１の出力ラインには、第１の出力Ｖｏｕｔ＋が結合され、他方、第３のトランジスタＴ３のコレクタ端子は、ミクサ回路ＭＣの第２の出力ラインに接続され、この第２の出力ラインには、第２の出力Ｖｏｕｔ−が結合されている。
【００２５】
第１の出力ラインは、第１の負荷インピーダンスＺ１を介して正の動作電圧ＶＤＤに接続され、第２の出力ラインも又、正の動作電圧ＶＤＤに接続されているが、これは第２の負荷インピーダンスＺ２を介してである。例えば、図示のように、第１の負荷インピーダンスＺ１及び第２の負荷インピーダンスＺ２は、互いに並列接続されたキャパシタと抵抗器から成る。しかしながら、任意の種類の負荷インピーダンス手段を用いることができる。
【００２６】
本発明の（ＩＩＰ２）較正回路ＣＣは、ミクサ回路ＭＣ中に高い２次入力インタセプト点（又はＩＩＰ２）を達成できる１つの調整モジュールＡＤＭを有する。より詳細には、較正回路ＣＣは、ミクサ回路ＭＣの第１の負荷インピーダンスＺ１又は第２の負荷インピーダンスＺ２を調整して選択された負荷不平衡状態を補償し又は導入するよう構成されている。
【００２７】
（ＩＩＰ２）較正回路ＣＣは、調整モジュールＡＤＭの第１の端子とミクサ回路ＭＣの第１の出力Ｖｏｕｔ＋及び第２のＶｏｕｔ−との間に挿入されていて、調整モジュールＡＤＭを指令信号の関数としてこれら第１の出力Ｖｏｕｔ＋及び第２の出力Ｖｏｕｔ−のうちの選択された一方にのみ選択的に結合するよう構成された結合モジュールＣＭを更に有する。
【００２８】
第１の端子と反対側の調整モジュールＡＤＭの第２の端子は、正の動作電圧ＶＤＤに接続され、したがって、第１の負荷インピーダンスＺ１及び第２の負荷インピーダンスＺ２のうちの一方の端子に接続されているので、調整モジュールＡＤＭを第１の負荷インピーダンスＺ１か第２の負荷インピーダンスＺ２かのいずれかに選択的に並列接続できる。
【００２９】
調整モジュールＡＤＭの実施形態の非限定的な例が、図３に示されている。この例では、調整モジュールＡＤＭは、互いに並列接続されていて、各々が補助負荷インピーダンス手段ＡＬｉに直列接続された制御スイッチ手段ＣＳｉを有する数個の（４個の）調整要素ＡＥｉ（ｉ＝１〜４）を有する。
【００３０】
例えば、制御スイッチ手段ＣＳｉは、端子（図示せず）を介して指令信号によりモニタでき、「オン」状態か「オフ」状態か、どちらか一方のスイッチであるのがよい。好ましくは、制御スイッチ手段ＣＳｉは、全て、同一である。
【００３１】
各補助負荷インピーダンス手段ＡＬｉは、例えば、抵抗器であるのがよい。互いに異なる補助負荷インピーダンス手段ＡＬｉの負荷インピーダンス値ＬＩｉは全て、同一であるのがよい。例えば、互いに異なる補助負荷インピーダンス手段ＡＬｉは、重み付けされた負荷をもたらすよう構成されたものであるのがよい。例えばこれらの負荷インピーダンス値ＬＩｉは、以下の法則により定義できる。
【００３２】
〔数１〕
ＬＩｉ＝２（ｉ−ｌ）・ｋ・ＬＩ
上式において、ｋは、所望のチューニング範囲に応じた整数であり、ＬＩは、単位負荷インピーダンス値である。例えば、所望のチューニング範囲は、単位負荷インピーダンス値Ｌ１の±５％に等しく、負荷インピーダンス調整の分解能は、０．２％又は０．１％に等しい。
【００３３】
各制御スイッチ手段ＣＳｉの指令信号（及びそれ故に状態）を選択することにより、結合モジュールＣＭを介して第１の負荷インピーダンスＺ１か第２の負荷インピーダンスＺ２か、どちらか一方に並列接続されている調整モジュールＡＤＭの調整負荷インピーダンス値を正確に定めることができ、その目的は、その値を細かくチューニングし、従ってミクサ回路ＭＣの不平衡状態及び非対称状態を補償することにある。
【００３４】
調整モジュールＡＤＭについて多くの代替実施形態を想到できる。第１の代替例では、調整モジュールＡＤＭは、上述した型式の単一の調整要素ＡＥ又は互いに並列接続された少なくとも２つの調整要素ＡＥを有してもよい。別の代替例では、調整モジュールＡＤＭは、互いに直列接続されていて、各々が例えばＲ２Ｒ型のＤＡＣ中で分路できる数個の抵抗器を有する単一の調整要素を有してもよい。
【００３５】
図２に示す実施形態の例では、結合モジュールＣＭは、調整モジュールＡＤＭの第１の端子と第１の出力Ｖｏｕｔ＋との間に挿入された第１のスイッチング手段Ｓ１と、調整モジュールＡＤＭの第１の端子と第２の出力Ｖｏｕｔ−との間に挿入された第２のスイッチング手段Ｓ２とを有している。したがって、選択された指令信号に応じて、第１のスイッチング手段Ｓ１が調整モジュールＡＤＭの第１の端子を第１の出力Ｖｏｕｔ＋に結合し、それと同時に第２のスイッチング手段Ｓ２が調整モジュールＡＤＭの前記第１の端子を第２の出力Ｖｏｕｔ−には結合しないか、第１のスイッチング手段Ｓ１が調整モジュールＡＤＭの第１の端子を第１の出力Ｖｏｕｔ＋に結合せず、それと同時に第２のスイッチング手段Ｓ２が調整モジュールＡＤＭの前記第１の端子を第２の出力Ｖｏｕｔ−に結合するかのいずれかである。
【００３６】
例えば、第１のスイッチング手段Ｓ１と第２のスイッチング手段Ｓ２は、２つの互いに異なる状態、即ち、結合を可能にする「オン」状態及び結合を阻止する「オフ」状態を取ることができる同一のスイッチである。この場合、一方のスイッチが「オン」の場合、他方は「オフ」である。
【００３７】
第１のスイッチングＳ１及び第２のスイッチングＳ２は、それぞれＮ−ＭＯＳ素子及びＰ−ＭＯＳ素子であるのがよく、これらの状態は、初期指令信号及びインバータ位相反転器で得られるこの初期指令信号と逆の信号によりモニタできる。
【００３８】
結合モジュールＣＭの多くの代替実施形態を想到できる。次に、これらのうちの１つについて第４を参照して説明する。
【００３９】
図４に示す結合モジュールＣＭは、図２に示す実施形態を改良することを目的としている。確かに、図２に示す結合モジュールＣＭでは、一方のミクサ回路の出力は、「オン」状態にあるスイッチを介して調整モジュールＡＤＭに常時直接結合され、他方のミクサ回路出力は、「オフ」状態にあるスイッチにのみ常時結合されており、これにより、非対称状態を導入することができると共にＩＩＰ２を減少させることができる。
【００４０】
この欠点を解決するため、結合モジュールＣＭは、上述した（図２を参照して）第１のスイッチング手段Ｓ１及び第２のスイッチング手段Ｓ２だけでなく、「オン」及び「オフ」状態を備えた第３のスイッチング手段Ｓ３及び第４のスイッチングＳ４を有する。
【００４１】
図示のように、第３のスイッチング手段Ｓ３は、第１のスイッチング手段Ｓ１の上流側で第１の出力Ｖｏｕｔ＋に（即ち、Ｓ１とＶｏｕｔ＋との間に）結合された第１の端子を有し、第４のスイッチング手段Ｓ４は、第２のスイッチング手段Ｓ２の上流側で第２の出力Ｖｏｕｔ−に（即ち、Ｓ２とＶｏｕｔ−との間に）結合された第１の端子を有する。さらに、第３のスイッチング手段Ｓ３は、第１のスイッチング手段Ｓ１が「オン」、「オフ」状態にあるとき、それぞれ「オフ」、「オン」状態にあるよう構成され、第４のスイッチング手段Ｓ４は、第２のスイッチング手段Ｓ２が「オン」、「オフ」状態にあるとき、それぞれ「オフ」、「オン」状態にあるように構成されている。
【００４２】
かかる構成では、第１の出力Ｖｏｕｔ＋及び第２の出力Ｖｏｕｔ−は、「オン」状態にある１つのスイッチング手段及び「オフ」状態にある１つのスイッチング手段に常時結合される。
【００４３】
したがって、第１のスイッチング手段Ｓ１、第２のスイッチング手段Ｓ２、第３のスイッチング手段Ｓ３及び第４のスイッチング手段Ｓ４が互いに同一である場合、第１の出力Ｖｏｕｔ＋に対する第１のスイッチング手段Ｓ１及び第３のスイッチング手段Ｓ３の負荷インピーダンスによる総合的影響は、第２の出力Ｖｏｕｔ−に対する第２のスイッチング手段Ｓ２及び第４のスイッチング手段Ｓ４の負荷インピーダンスによる総合的影響と同一である。換言すると、対称性が保存される。
【００４４】
図３に示すように、第３のスイッチング手段Ｓ３及び第４のスイッチング手段Ｓ４は好ましくは、疑似スイッチング手段、即ち、調整モジュールＡＤＭを第１の負荷インピーダンスＺ１又は第２の負荷インピーダンスＺ２に結合するためには用いられないスイッチング手段である。
【００４５】
好ましくは、図示のように、第３のスイッチング手段Ｓ３及び第４のスイッチング手段Ｓ４の第２の端子は、互いに結合されている。
【００４６】
さらに、図示のように、第１のスイッチング手段Ｓ１、第２のスイッチング手段Ｓ２、第３のスイッチング手段Ｓ３及び第４のスイッチング手段Ｓ４のそれぞれの状態をモニタする単一の指令信号を用いることができる。この目的のため、第２のスイッチング手段Ｓ２及び第３のスイッチング手段Ｓ３の状態（これら状態は、常時同時に同一でなければならない）を初期指令信号（“０”又は“１”）によりモニタすることができ、他方、第１のスイッチング手段Ｓ１及び第４のスイッチング手段Ｓ４の状態（これら状態は、常時同時に同一でなければならない）をこの初期指令信号と逆の信号（“１”又は“０”）によりモニタすることができる。
【００４７】
例えば、第１のスイッチングＳ１及び第４のスイッチング手段Ｓ４は、Ｐ−ＭＯＳ素子であるのがよく、第２のスイッチング手段Ｓ２及び第３のスイッチング手段Ｓ３は、Ｎ−ＭＯＳ素子であるのがよく、これらの状態は、指令信号及びこれとは逆の信号によってモニタされる。
【００４８】
一方において、（ＩＩＰ２）較正回路ＣＣ及び第１の負荷インピーダンスＺ１が互いに並列接続されなければならない場合、第１のスイッチング手段Ｓ１及び第４のスイッチング手段Ｓ４は、これらの「オン」状態（直線で表されている）にされ、これに対し、第２のスイッチング手段Ｓ２及び第３のスイッチング手段Ｓ３は、これらの「オフ」状態（これらも直線で表されている）にされる。他方において、（ＩＩＰ２）較正回路ＣＣ及び第２の負荷インピーダンスＺ２が互いに並列接続されなければならない場合、第１のスイッチング手段Ｓ１及び第４のスイッチング手段Ｓ４は、これらの「オフ」状態（点線で表されている）にされ、これに対し、第２のスイッチング手段Ｓ２及び第３のスイッチング手段Ｓ３は、これらの「オン」状態（これらも点線で表されている）にされる。
【００４９】
本発明の平行型回路装置ＭＣは、集積回路形態で実現でき、又は、この平行型回路装置は、集積回路の一部を構成することができる。例えば、この集積回路は、特にワイヤレスＣＤＭＡ機器、例えば移動電話（又は携帯電話）用のゼロＩＦ受信機及び／又は送信機用の集積回路の一部であるのがよく又はこれを構成することができる。
【００５０】
かかる集積回路をバイポーラ又はＣ−ＭＯＳ技術で具体化できる。
【００５１】
本発明は、上述の（ＩＩＰ２）に較正装置（又は回路）、平行型回路装置並びに受信機及び／又は送信機装置の実施形態の例には限定されず、当業者により特許請求の範囲に記載された本発明の範囲に属すると考えることができる全ての変形実施形態を含む。
【図面の簡単な説明】
【００５２】
【図１】本発明を利用できる無線受信機の一例を概略的に示す図である。
【図２】ミクサ回路を形成し、本発明の（ＩＩＰ２）較正装置の実施形態の第１の例を有する平衡形回路装置の一例を概略的に示す図である。
【図３】本発明の（ＩＩＰ２）較正装置の一部をなすのがよい負荷インピーダンス調整ブロックの実施形態の一例を概略的に示す図である。
【図４】ミクサ回路を形成し、本発明の（ＩＩＰ２）較正装置の実施形態の第２の例を有する平衡形回路装置の一例を概略的に示す図である。
【図１】
2007537647.tif 000003
【図２】
2007537647.tif 000004
【図３】
2007537647.tif 000005
【図４】
2007537647.tif 000006
【国際調査報告】
2007537647.tif 000007
2007537647.tif 000008